(57)【要約】【課題】地震発生時においても、簡便な手法で事務機等の移動や転倒を防止することが可能な耐震用固定具を提供する。【解決手段】耐震用固定具１は、キャスターを床面に固定するために使用されるものであり、板状の固定具本体２の一辺から切り欠いた切欠き３を有し、この切欠き３にキャスターが挿入される。切欠き３は四角形状であり、切欠き３の三辺のそれぞれに沿って、固定具本体２の縁上に設けられた板状の突部４を備えている。固定具本体２の下面には、床上のカーペットに接触する接触部５を備えている。接触部５は、固定具本体２の下面に密着するシートと、シートから突出する突起とから構成されている。突起は、シートから伸びる伸長部と、伸長部の先端からシート側に折り返す折り返し部とから構成されている。【選択図】図１
0003201230.tif 000002
【実用新案登録請求の範囲】
【請求項１】
板状の固定具本体の一辺から切り欠いた切欠きを有し、固定具本体の下面には、床上のカーペットに接触する接触部を備え、前記接触部は、前記固定具本体の下面に密着するシートと、前記シートから突出する突起とからなり、前記突起は、シートから伸びる伸長部と、前記伸長部の先端からシート側に折り返す折り返し部とからなることを特徴とする耐震用固定具。
【請求項２】
前記切欠きは四角形状であり、前記切欠きの三辺のそれぞれに沿って、前記固定具本体の上面の縁上に設けられた板状の突部を備えていることを特徴とする請求項１記載の耐震用固定具。
【請求項３】
前記切欠きは四角形状であり、前記切欠きの一辺に沿って、前記固定具本体の上面の縁上に設けられた板状の突部と、前記板状の突部に連結して設けられて前記切欠きの上部を覆う押え板とを備え、前記押え板はその先端部が開口となった通過孔を備えていることを特徴とする請求項１記載の耐震用固定具。
【考案の詳細な説明】
【技術分野】
【０００１】
本考案は、オフィスや家屋等に設置された事務機や家具等が、地震の際の揺れによって移動したり倒れたりすることを防止する耐震用固定具に関する。
【背景技術】
【０００２】
日本においては近年地震が多発しており、地震が発生すると、その揺れによって、オフィスに設置されたコピー機等の事務機や机、家屋に設置された家具等が、本来の設置場所から移動し、倒れることによって、これらの器具が破損するばかりでなく、人への被害の発生の原因となる。東日本大震災の際には、首都圏の高層ビルの高層階において、長周期振動による長時間に亘る横揺れが観測されており、このような横揺れに対応した、オフィス内の機器を床に固定する耐震用固定具が必要とされている。
【０００３】
キャスター付きの台車や家具を固定することを目的とした固定装置が、特許文献１に記載されている。
【先行技術文献】
【特許文献】
【０００４】
【特許文献１】特許第４５０７２１８号公報
【考案の概要】
【考案が解決しようとする課題】
【０００５】
オフィスの床面は通常カーペットで覆われており、コピー機等の事務機はこのカーペット上に設置されている。また、事務機の脚部にはキャスターが取り付けられているのが通常である。そのため、カーペット上に設置された状態のキャスター付きの事務機が、地震発生時の横揺れに対しても、移動したり転倒したりすることを防止できる耐震用固定具があれば、器具の破損と人への被害の発生を抑えることができる。
【０００６】
本考案は、このような事情を考慮してなされたもので、地震発生時においても、簡便な手法で事務機等の移動や転倒を防止することが可能な耐震用固定具を提供することを目的とする。
【課題を解決するための手段】
【０００７】
以上の課題を解決するために、本考案の耐震用固定具は、板状の固定具本体の一辺から切り欠いた切欠きを有し、固定具本体の下面には、床上のカーペットに接触する接触部を備え、前記接触部は、前記固定具本体の下面に密着するシートと、前記シートから突出する突起とからなり、前記突起は、シートから伸びる伸長部と、前記伸長部の先端からシート側に折り返す折り返し部とからなることを特徴とする。
【０００８】
固定具本体に設けられた切欠きにキャスターが挿入されて、キャスターが固定具本体に固定されるともに、固定具本体の下面に設けられた接触部が床上のカーペットに接触することによって、キャスターは床面に固定される。接触部を構成する突起は、シートから伸びる伸長部と、伸長部の先端からシート側に折り返す折り返し部とを備えているため、突起の先端部は湾曲または屈曲した構造となっており、耐震用固定具を床面上のカーペットに設置しただけで、カーペットのループパイルに接触部の突起が引っかかって抜けない状態となる。そのため、地震の長周期振動のように横揺れが生じても、キャスターが移動することを防止でき、事務機等の移動や転倒を防止できる。
【０００９】
本考案の耐震用固定具においては、前記切欠きは四角形状であり、前記切欠きの三辺のそれぞれに沿って、前記固定具本体の上面の縁上に設けられた板状の突部を備えている構造とすることが好ましい。
【００１０】
切欠きの三辺のそれぞれに沿って、固定具本体の上面の縁上に設けられた板状の突部が、キャスターを三方から支持する構造となるため、キャスターは切欠きの位置に保持され、キャスターが板状の突部を乗り越えて切欠きの位置から移動することを防止できる。
【００１１】
本考案の耐震用固定具においては、前記切欠きは四角形状であり、前記切欠きの一辺に沿って、前記固定具本体の上面の縁上に設けられた板状の突部と、前記板状の突部に連結して設けられて前記切欠きの上部を覆う押え板とを備え、前記押え板はその先端部が開口となった通過孔を備えた構造とすることができる。
【００１２】
切欠きの上部を覆う押え板に設けられた通過孔にキャスターの軸を通してキャスターを切欠きの位置に設置すると、切欠きの上部を覆う押え板がキャスターを上部から押える構造となるため、縦方向への揺れが生じても、キャスターは切欠きの位置に保持される。
【考案の効果】
【００１３】
本考案によると、地震発生時においても、簡便な手法で事務機等の移動や転倒を防止することが可能な耐震用固定具を実現することができる。
【図面の簡単な説明】
【００１４】
【図１】本考案の第一実施形態に係る耐震用固定具の外観を示す図である。
【図２】固定具本体の下面に設けられた接触部の構造の詳細を示す図である。
【図３】キャスターを耐震用固定具に固定した状態を示す図である。
【図４】耐震用固定具の配置状況を示す図である。
【図５】耐震用固定具の取付け状態の斜視図である。
【図６】耐震用固定具の取付け状態の正面図と側面図である。
【図７】耐震用固定具の取付け状態の底面を示す図である。
【図８】本考案の第二実施形態に係る耐震用固定具の外観を示す図である。
【図９】キャスターを耐震用固定具に固定した状態を示す図である。
【図１０】耐震用固定具の配置状況を示す図である。
【図１１】耐震用固定具の取付け状態の斜視図である。
【図１２】耐震用固定具の取付け状態の正面図と側面図である。
【図１３】机の脚部を耐震用固定具に固定した状態を示す図である。
【図１４】耐震用固定具の配置状況を示す図である。
【図１５】耐震用固定具の取付け状態の斜視図である。
【図１６】耐震用固定具の取付け状態の正面図と側面図である。
【考案を実施するための形態】
【００１５】
以下に、本考案の耐震用固定具を、その実施形態に基づいて説明する。
図１に、本考案の第一実施形態に係る耐震用固定具の外観を示す。図１（ａ）は、耐震用固定具の上面を示しており、図１（ｂ）は、耐震用固定具の下面を示している。
耐震用固定具１は、キャスターを床面に固定するために使用されるものであり、板状の固定具本体２の一辺から切り欠いた切欠き３を有し、この切欠き３にキャスターが挿入される。切欠き３は四角形状であり、切欠き３の三辺のそれぞれに沿って、固定具本体２の上面の縁上に設けられた板状の突部４を備えている。固定具本体２の下面には、床上のカーペットに接触する接触部５を備えている。
【００１６】
図２に、固定具本体２の下面に設けられた接触部５の構造の詳細を示す。図２（ａ）は、接触部５の部分拡大図である。図２（ｂ）は、カーペット表面の詳細を示し、図２（ｃ）は、カーペット上で接触部５が接触している状態を示す。図２（ｄ）は、図２（ｃ）の部分拡大図である。
【００１７】
図２（ａ）に示すように、接触部５は、固定具本体２の下面に密着するシート６と、シート６から突出する突起７とから構成されている。突起７は、シート６から伸びる伸長部８と、伸長部８の先端９からシート６側に折り返す折り返し部１０とから構成されている。突起７は、シート６の面上に微小なものが多数形成されており、シート６の横方向、縦方向、斜め方向に不規則に配列されている。
【００１８】
床上に敷かれたカーペット１１は、図２（ｂ）に示すように、その表面にループパイル１２が形成されており、耐震用固定具１をカーペット１１上に設置すると、図２（ｃ）、図２（ｄ）に示すように、突起７の先端部は湾曲または屈曲した構造となっているため、耐震用固定具１を床面上のカーペット１１に設置しただけで、カーペット１１のループパイル１２に接触部５の突起７が引っかかって抜けない状態となる。そのため、地震の長周期振動のように横揺れが生じても、カーペット１１のループパイル１２に接触部５の突起７が引っかかった状態が維持され、キャスターの移動が阻止され、事務機等の移動や転倒を防止できる。
【００１９】
図３に、キャスターを耐震用固定具１に固定した状態を示す。切欠き３の三辺のそれぞれに沿って、固定具本体２の上面の縁上に設けられた板状の突部４が、キャスター１３を三方から支持する構造となるため、キャスター１３は切欠き３の位置に保持され、キャスター１３が板状の突部４を乗り越えて切欠き３の位置から移動することを防止できる。長周期振動による横揺れに伴うキャスター１３の乗り越え防止の観点からは、板状の突部４の高さは、２０ｍｍ程度あれば十分である。
【００２０】
図４に、耐震用固定具１の配置状況を示す。図４においては、事務機１４に取付けられている４つのキャスター１３のうち、事務機１４の前方２か所に取付けられたキャスター１３に対して耐震用固定具１を取り付けている。固定具本体２の一辺が開放されているため、切欠き３にキャスター１３を挿入しやすい。
【００２１】
図４に示すように、耐震用固定具１の開放側１５を内向きにして対向するように配置すると、矢印Ｘの方向に揺れが生じたときは、固定具本体２の突部４ａ、４ｂがキャスター１３の移動を阻止し、矢印Ｙの方向に揺れが生じたときは、固定具本体２の突部４ｃ、４ｄがキャスター１３の移動を阻止する。
【００２２】
このように、耐震用固定具１の開放側１５を内向きにして対向するように配置することにより、矢印で示すどの方向に揺れが生じても、キャスター１３は切欠き３の位置に保持される。
【００２３】
図５は、事務機１４の前方２か所に取付けられたキャスター１３に対して耐震用固定具１を取り付けた状態の斜視図である。図６（ａ）は、同様の取付け状態の正面図であり、図６（ｂ）は、その側面図である。図７は、取付け状態の底面を示す図である。
耐震用固定具１をこのように取り付けることによって、地震発生時においても、簡便な手法で事務機等の移動や転倒を防止することができる。
【００２４】
図８に、本考案の第二実施形態に係る耐震用固定具の外観を示す。図８（ａ）は、耐震用固定具の上面を示しており、図８（ｂ）は、耐震用固定具の下面を示している。
耐震用固定具１は、キャスターを床面に固定するために使用されるものであり、板状の固定具本体２の一辺から切り欠いた切欠き３を有し、この切欠き３にキャスターが挿入される。切欠き３は四角形状であり、切欠き３の一辺に沿って、固定具本体２の上面の縁上に設けられた板状の突部４と、板状の突部４に連結して設けられて切欠き３の上部を覆う押え板１６とを備えている。押え板１６はその先端部が開口となった通過孔１７を備えている。固定具本体２の下面には、床上のカーペットに接触する接触部５を備えている。接触部５の構造と機能は、第一実施形態と同様である。
【００２５】
図９に、キャスターを耐震用固定具１に固定した状態を示す。
切欠き３の上部を覆う押え板１６に設けられた通過孔１７にキャスター１３の軸を通してキャスター１３を切欠き３の位置に設置すると、切欠き３の上部を覆う押え板１６がキャスター１３を上部から押える構造となっているため、縦方向への揺れが生じても、キャスター１３は切欠き３の位置に保持される。固定具本体２の一辺が開放されており、通過孔１７は押え板１６の先端部が開口となるように形成されて、固定具本体２の開放側と押え板１６の開口部の方向が一致しているため、切欠き３にキャスター１３を挿入しやすい。
【００２６】
図１０に、耐震用固定具１の配置状況を示す。図１０においては、事務機１４に取付けられている４つのキャスター１３全てに対して耐震用固定具１を取り付けている。図１０に示すように耐震用固定具１を配置すると、矢印Ｘの方向、矢印Ｙの方向のいずれに揺れが生じても、キャスター１３の移動が阻止される。
【００２７】
図１１は、事務機１４の４か所に取付けられたキャスター１３に対して耐震用固定具１を取り付けた状態の斜視図である。図１２（ａ）は、同様の取付け状態の正面図であり、図１２（ｂ）は、その側面図である。耐震用固定具１をこのように取り付けることによって、図１２に示す矢印Ｚの方向の揺れが生じても、簡便な手法で事務機等の移動や転倒を防止することができる。
【００２８】
図１３に、机の脚部を耐震用固定具１に固定した状態を示す。
切欠き３の上部を覆う押え板１６に設けられた通過孔１７に脚部１８の軸を通して脚部１８を切欠き３の位置に設置すると、切欠き３の上部を覆う押え板１６が脚部１８を上部から押える構造となるため、縦方向への揺れが生じても、脚部１８は切欠き３の位置に保持される。固定具本体２の一辺が開放されており、通過孔１７は押え板１６の先端部が開口となるように形成されて、固定具本体２の開放側と押え板１６の開口部の方向が一致しているため、切欠き３に脚部１８を挿入しやすい。
【００２９】
図１４に、耐震用固定具１の配置状況を示す。図１４においては、机１９に取付けられている４つの脚部１８全てに対して耐震用固定具１を取り付けている。図１４に示すように耐震用固定具１を配置すると、矢印Ｘの方向、矢印Ｙの方向のいずれに揺れが生じても、脚部１８の移動が阻止される。
【００３０】
図１５は、机１９の４か所に取付けられた脚部１８に対して耐震用固定具１を取り付けた状態の斜視図である。図１６（ａ）は、同様の取付け状態の正面図であり、図１６（ｂ）は、その側面図である。耐震用固定具１をこのように取り付けることによって、図１６に示す矢印Ｚの方向の揺れが生じても、簡便な手法で机等の移動や転倒を防止することができる。
【産業上の利用可能性】
【００３１】
本考案は、地震発生時においても、簡便な手法で事務機等の移動や転倒を防止することが可能な耐震用固定具として広く利用することができる。
【符号の説明】
【００３２】
１  耐震用固定具
２  固定具本体
３  切欠き
４、４ａ、４ｂ、４ｃ、４ｄ  板状の突部
５  接触部
６  シート
７  突起
８  伸長部
９  先端
１０  折り返し部
１１  カーペット
１２  ループパイル
１３  キャスター
１４  事務機
１５  開放側
１６  押え板
１７  通過孔
１８  脚部
１９  机
【図１】
0003201230.tif 000003
【図２】
0003201230.tif 000004
【図３】
0003201230.tif 000005
【図４】
0003201230.tif 000006
【図５】
0003201230.tif 000007
【図６】
0003201230.tif 000008
【図７】
0003201230.tif 000009
【図８】
0003201230.tif 000010
【図９】
0003201230.tif 000011
【図１０】
0003201230.tif 000012
【図１１】
0003201230.tif 000013
【図１２】
0003201230.tif 000014
【図１３】
0003201230.tif 000015
【図１４】
0003201230.tif 000016
【図１５】
0003201230.tif 000017
【図１６】
0003201230.tif 000018